(57)【要約】【課題】簡単な構造で、自動的にロック及び解除が可能なロック機構を提供する。【解決手段】板状部材２を倒した状態から立ち上げる際に、第１アーム６の軸線Ｌ１と第２アーム７の軸線Ｌ２とのなす角度θが増加し、板状部材２が立ち上がった状態になると、角度θが１８０°よりも大きい状態で、ストッパー２０が第２アーム７の回動を止めることにより、板状部材２を倒す方向に押しても、第２アーム７は第１アーム６に対して回動しなくなる。【選択図】図２
2010090590.tif 000002
【特許請求の範囲】
【請求項１】
回動可能な板状部材を立ち上げた状態で維持するためのロック機構であって、
一端が回動可能に固定された第１アームと、
一端が該第１アームに回動可能に固定されると共に他端が前記板状部材に回動可能に固定された第２アームと、
前記第１アームに対する前記第２アームの回動を止めるストッパーと
を備え、
前記板状部材を倒した状態から立ち上げる際に、前記第１アームの軸線と前記第２アームの軸線とのなす角度が増加し、前記板状部材が立ち上がった状態になると、前記角度が１８０°よりも大きい状態で、前記ストッパーが前記第２アームの回動を止めるロック機構。
【請求項２】
前記ストッパーは前記第１アームに設けられ、
前記第２アームが前記ストッパーに当接することにより、該ストッパーが前記第２アームの回動を止める、請求項１に記載のロック機構。
【請求項３】
前記板状部材は、倒れた状態で地面の一部を構成し、
前記ロック機構は、前記板状部材の下方に収納される、請求項１または２に記載のロック機構。
【発明の詳細な説明】
【技術分野】
【０００１】
この発明はロック機構に係り、特に、地面の一部を構成するように収納された防水板や侵入防止板等を立ち上げた時に、その状態をロックするためのロック機構に関する。
【背景技術】
【０００２】
従来の防水板が、例えば特許文献１に記載されている。このような防水板は、未使用時には、地面の一部を構成するように収容されており、使用時には、油圧等によって回動して立ち上がり、雨水等の侵入を堰き止めるようになっている。立ち上がった状態で油圧の油漏れが生じると防水板が倒れてしまうため、これを防ぐために防水板には、立ち上がった状態をロックするためのロック機構が設けられている。
【０００３】
【特許文献１】特開２００６−２２６０１６号公報（図２）
【発明の開示】
【発明が解決しようとする課題】
【０００４】
従来の防水板に設けられた従来のロック機構は、電気式のロック機構や、突っ張り棒等のような手動でロックするタイプのものが多い。しかしながら、電気式のロック機構は、当該ロック機構を作動させるための別の動力が必要であり、コストが高いといった問題点があった。一方、突っ張り棒のような手動タイプのものは、ロック操作及び解除操作をいちいち手動で行なわなければならず、操作が大変であるといった問題点があり、ロック操作を忘れた場合には、使用中に防水板が倒れてしまう可能性もあった。
【０００５】
この発明はこのような問題点を解決するためになされたもので、簡単な構造で、自動的にロック及び解除が可能なロック機構を提供することを目的とする。
【課題を解決するための手段】
【０００６】
この発明に係るロック機構は、回動可能な板状部材を立ち上げた状態で維持するためのロック機構であって、一端が回動可能に固定された第１アームと、一端が該第１アームに回動可能に固定されると共に他端が前記板状部材に回動可能に固定された第２アームと、前記第１アームに対する前記第２アームの回動を止めるストッパーとを備え、前記板状部材を倒した状態から立ち上げる際に、前記第１アームの軸線と前記第２アームの軸線とのなす角度が増加し、前記板状部材が立ち上がった状態になると、前記角度が１８０°よりも大きい状態で、前記ストッパーが前記第２アームの回動を止める。
前記ストッパーは前記第１アームに設けられ、前記第２アームが前記ストッパーに当接することにより、該ストッパーが前記第２アームの回動を止めてもよい。
前記板状部材は、倒れた状態で地面の一部を構成し、前記ロック機構は、前記板状部材の下方に収納されてもよい。
【発明の効果】
【０００７】
この発明によれば、板状部材を倒した状態から立ち上げる際に、第１アームの軸線と第２アームの軸線とのなす角度が増加し、板状部材が立ち上がった状態になると、当該角度が１８０°よりも大きい状態で、ストッパーが第２アームの回動を止めることにより、板状部材を倒す方向に押しても、第２アームは第１アームに対して回動しなくなるので、簡単な構造で、自動的にロック及び解除が可能になる。
【発明を実施するための最良の形態】
【０００８】
以下、この発明の実施の形態を添付図面に基づいて説明する。
この発明の実施の形態に係るロック機構が設けられた防水板の立ち上がった状態の図を図１に示す。防水板１は、水平方向に長い長方形形状を有した板状部材２と、水平方向に間隔を空けて設けられた２つのロック機構３，３とを有している。板状部材２の下面２ａには、短い方の縁部２ｂに平行に２つの回動部材２５が互いに間隔を空けて設けられている。各回動部材２５の一方の端部２５ａは、板状部材２の長い方の縁部２ｃよりも外方に延び、地面Ｇに対して窪んだ窪み部４の底部４ａに設けられたフレーム５上に設けられた受け部２６にピン２７で回動可能に固定されている。
【０００９】
各ロック機構３は、第１アーム６と第２アーム７とから構成されている。第１アーム６の一方の端部６ａは、フレーム５上に固定された受け部８にピン９で回動可能に固定されている。第２アーム７の一方の端部７ａは、第１アーム６の他方の端部６ｂに近い位置で、第１アーム６にピン１０で回動可能に固定され、第２アーム７の他方の端部７ｂは、板状部材２の下面２ａに固定された受け部１１にピン１２で回動可能に固定されている。
【００１０】
窪み部４内において、各ロック機構３に隣り合うように、伸縮自在の２つの油圧シリンダー１３，１３が設けられている。窪み部４内において、ロック機構３，３の間を延びるように、シリンダー受け１４が設けられている。油圧シリンダー１３の一方の端部１３ａは、フレーム５上に固定された受け部１５にピン１６で回動可能に固定されている。
【００１１】
図２に示されるように、油圧シリンダー１３は、円筒形状のシリンダー部２１と、シリンダー部２１の内部で摺動可能に設けられたピストンロッド２２とから構成され、ピストンロッド２２の先端部、すなわち油圧シリンダー１３の他方の端部１３ｂが一方の端部１３ａから離れる方向にピストンロッド２２が摺動することにより、油圧シリンダー１３が伸び、この逆に、端部１３ｂが端部１３ａに近づく方向にピストンロッド２２が摺動することにより、油圧シリンダー１３が縮むようになっている。油圧シリンダー１３の端部１３ｂは、シリンダー受け１４に固定されたブラケット１７にピン１８で回動可能に固定されている。また、シリンダー受け１４と第１アーム６とは、ブラケット１９を介して連結されている。さらに、第１アーム６の端部６ｂ付近には、第２アーム７の回動を止めるためのストッパー２０が設けられている。
【００１２】
次に、この実施の形態に係る防水板の動作について説明する。
板状部材２が倒れた状態を図３に示す。板状部材２は、窪み部４を覆うと共に地面Ｇの一部を構成している。つまり、板状部材２は、地面Ｇに対して面一になっている。各ロック機構３は、窪み部４の内部に収容されている。油圧シリンダー１３は、最も縮んだ状態になっており、第２アーム７は、ピン１０を中心としてピン１２がピン９に向かって回動されて、第１アーム６に対して折り曲がった状態になっている。すなわち、第１アーム６の軸線Ｌ１と第２アーム７の軸線Ｌ２とのなす角度θは鋭角となっている。
【００１３】
板状部材２を立ち上げるために、図示しない動力源によって各油圧シリンダー１３が伸びると、ブラケット１７が矢印Ａの方向に回転し、これによってシリンダー受け１４が矢印Ｂの方向に回転する。すると、ブラケット１９が矢印Ｃの方向に回転し、これによって第１アーム６がピン９を中心にして端部６ｂが矢印Ｄの方向に移動するように回動する。第１アーム６が回動すると、第２アーム７を介して板状部材２が持ち上げられるので、板状部材２は、ピン２７を中心にして矢印Ｅの方向に回動する。
【００１４】
板状部材２がある程度まで立ち上がってくると、第２アーム７は、角度θが増加するように、第１アーム６に対して回動するようになる。図２に示されるように、板状部材２が最も立ち上がった状態になると、角度θは１８０°よりもわずかに大きい角度となる。この状態では、第２アーム７はストッパー２０によって回動が止められ、角度θがこれ以上大きくならないようになる。この状態では、鉛直線Ｌに対する第２アーム７の軸線Ｌ２のなす角度θ２は、鉛直線Ｌに対する第１アーム６の軸線Ｌ１のなす角度θ１よりも小さくなっている。尚、角度θは１８１°以上が好ましく、さらに好ましくは、１８１°から１８３°程度である。
【００１５】
この状態で、板状部材２の上面２ｄに対して板状部材２が倒れる方向（矢印Ｆの方向）に力を加えても、角度θが増加する方向に力が加えられることになるため、第２アーム７は第１アーム６に対してこの方向に回動することはない。従って、板状部材２は、ロック機構３，３によって最も立ち上がった状態を維持するようにロックされる。
【００１６】
板状部材２を倒す場合には、図示しない動力源によって各油圧シリンダー１３を縮ませると、上記動作と逆の動作により、図３の状態へ戻る。
【００１７】
このように、板状部材２を倒した状態から立ち上げる際に、第１アーム６の軸線Ｌ１と第２アーム７の軸線Ｌ２とのなす角度θが増加し、板状部材２が立ち上がった状態になると、角度θが１８０°よりも大きい状態で、ストッパー２０が第２アーム７の回動を止めることにより、板状部材２を倒す方向に押しても、第２アーム７は第１アーム６に対して回動しなくなるので、簡単な構造で、自動的にロック及び解除が可能になる。
また、板状部材２の上面２ｄに対して板状部材２が倒れる方向（矢印Ｆ）に力を加えても板状部材２は倒れないので、防水板１は、水が存在する方向とは逆側にロック機構３が位置するように配置できるので、ロック機構３が水の影響で不具合を生じてしまうのを防止できる。つまり、この発明に係るロック機構は、防水板に適用するのに適している。
【００１８】
この実施の形態では、ストッパー２０は、第１アーム６に設けられて、第２アーム７がストッパー２０に当接することにより第２アーム７の回動を止める構成であるが、このような構成に限定するものではない。角度θを所定角度以上に増加しないように第２アーム７の回動を確実に止めることができるものであれば、どのような構成のものであってもよい。
【００１９】
この実施の形態では、ロック機構３は２つ設けられていたが、２つに限定するものではない。防水板１の大きさによって、適宜増減することができる。また、板状部材２の形状は水平方向に長い長方形形状であったが、この形状に限定するものではなく、任意の形状の板状部材であってもよい。
【００２０】
また、この実施の形態では、防水板１に適用した場合を例にして説明しているが、防水板に限定するものではない。開閉可能な板状の蓋等が立ち上がった状態を維持するためであればどのようなものに適用してもよく、例えば、侵入防止板等であってもよい。
【図面の簡単な説明】
【００２１】
【図１】この発明の実施の形態に係るロック機構を備えた防水板の正面図である。
【図２】この実施の形態に係るロック機構を備えた防水板が立ち上がった状態の側面図である。
【図３】この実施の形態に係るロック機構を備えた防水板が倒れた状態の側面図である。
【符号の説明】
【００２２】
２  板状部材、３  ロック機構、６  第１アーム、６ａ  （第１アームの）端部（第１アームの一端）、７  第２アーム、７ａ  （第２アームの）端部（第２アームの一端）、７ｂ  （第２アームの）端部（第２アームの他端）、Ｇ  地面、Ｌ１  第１アームの軸線、Ｌ２  第２アームの軸線、θ  第１アームの軸線Ｌ１と第２アームの軸線Ｌ２とのなす角度。
【図１】
2010090590.tif 000003
【図２】
2010090590.tif 000004
【図３】
2010090590.tif 000005